(57)【要約】【課題】本発明は、貫通孔を有する本体シートに複数の小孔を有する柔軟材シートを開閉自在とし、アイマスクを装着したままで素通しで見ることができるようにすることを目的とする。【解決手段】本発明によるアイマスクは、貫通孔（３）を有する本体シート（１）の表面に複数の小孔（６）を有する柔軟材シート（５）を開閉自在とし、アイマスクを装着状態で柔軟材シート（５）を開状態（Ａ）とすることにより、貫通孔（３）のみで素通しで見ることができる構成である。【選択図】図３
2005288057.tif 000002
【特許請求の範囲】
【請求項１】
互い離間した一対の貫通孔（３）を有する本体シート（１）と、前記本体シート（１）の裏面（１ａ）に設けられ長手枠状をなす自由縁部（４）と、前記本体シート（１）の表面（１ｂ）に開閉自在に設けられた柔軟材シート（５）と、前記柔軟材シート（５）に形成され前記貫通孔（３）に対応した位置に形成された複数の小孔（６）とを有し、前記柔軟材シート（５）を開状態（Ａ）とすると、前記貫通孔（３）は素通し状となるように構成したことを特徴とするアイマスク。
【請求項２】
互いに離間した一対の貫通孔（３）を有する本体シート（１）と、前記本体シート（１）の裏面（１ａ）に設けられた長手枠状をなす自由端部（４）と、前記本体シート（１）の表面（１ｂ）に開閉自在に設けられた柔軟材シート（５）とを有し、前記柔軟材シート（５）を開状態（Ａ）とすると、前記貫通孔（３）は素通し状となるように構成したことを特徴とするアイマスク。
【請求項３】
前記本体シート（１）の両側部（１Ａ、１Ｂ）には、耳かけひも（１１）が設けられていることを特徴とする請求項１又は２記載のアイマスク。
【請求項４】
前記柔軟材シート（５）は、前記各貫通孔（３）の間に対応する中間位置（Ｂ）にスリット（２０）を有し、前記各貫通孔（３）を片方ずつ素通し状とできるように構成したことを特徴とする請求項１ないし３の何れかに記載のアイマスク。
【請求項５】
前記自由縁部（４）は、所要の肉厚（Ｔ）を有していることを特徴とする請求項１ないし４の何れかに記載のアイマスク。
【発明の詳細な説明】
【技術分野】
【０００１】  本発明は、アイマスクに関し、特に、本体シートに小孔を有する柔軟材シートを開閉自在に設け、この柔軟材シートを開状態とすることにより、素通しで見ることができるようにするための新規な改良に関する。
【背景技術】
【０００２】  従来、用いられていたアイマスクは、例えば、特許文献１に開示されているように、アイマスクには小孔を有する一対の眼部が形成され、アイマスクを顔面に装着した場合には、複数の小孔を介して外部の状態を見ていた。【０００３】
【特許文献１】  実公平７−４１４６１号公報
【発明の開示】
【発明が解決しようとする課題】
【０００４】  従来のアイマスクは、以上のように構成されていたため、次のような課題が存在していた。
すなわち、各眼部に対応する複数の小孔は本体シートに直接形成されているため、アイマスクを使用中に、外の状態を明瞭に見るためには、アイマスクを外さなくては、視野が狭くなっている状態から広くすることは不可能で、その都度、アイマスクの装着と取り外しを繰り返さなくてはならなかった
【課題を解決するための手段】
【０００５】  本発明によるアイマスクは、互い離間した一対の貫通孔を有する本体シートと、前記本体シートの裏面に設けられ長手枠状をなす自由縁部と、前記本体シートの表面に開閉自在に設けられた柔軟材シートと、前記柔軟材シートに形成され前記貫通孔に対応した位置に形成された複数の小孔とを有し、前記柔軟材シートを開状態とすると、前記貫通孔は素通し状となるようにした構成であり、また、互いに離間した一対の貫通孔を有する本体シートと、前記本体シートの裏面に設けられた長手枠状をなす自由端部と、前記本体シートの表面に開閉自在に設けられた柔軟材シートとを有し、前記柔軟材シートを開状態とすると、前記貫通孔は素通し状となるようにした構成であり、また、前記本体シートの両側部には、耳かけひもが設けられている構成であり、また、前記柔軟材シートは、前記各貫通孔の間に対応する中間位置にスリットを有し、前記各貫通孔を片方ずつ素通し状とできるようにした構成であり、また、前記自由縁部は、所要の肉厚を有している構成である。
【発明の効果】
【０００６】  本発明によるアイマスクは、以上のように構成されているため、次のような効果を得ることができる。
すなわち、各眼部に各々貫通孔を有する本体シートの表面に、各貫通孔に対応する位置に複数の小孔を有する柔軟材シートを開閉自在に設けているため、この柔軟材シートを開状態とすることにより、各小孔が除かれて貫通孔が素通しとなり、アイマスク使用時にアイマスクを外さなくても一時的に素通しとすることができ、近視、遠視、老眼の人にとって遠近両用となり、利便性を向上させることができる。また、小孔を有しない場合は真暗な状態を得ることができる。また、視力改善体操、リラクゼーション、テレビを見る時や読書時に便利である。
また、柔軟材シートにスリットが入っているため、片眼ずつ素通しとすることができ、例えば、不同視用、すなわち、不同視矯正用器具とすることもできる。
【発明を実施するための最良の形態】
【０００７】  本発明は、本体シートの表面に、小孔を有する柔軟材シートを開閉自在に取付け、アイマスク装着状態でも、小孔を通さずに素通しで見ることができるようにすることを目的とする。
【実施例】
【０００８】  以下、図面と共に本発明によるアイマスクの好適な実施の形態について説明する。
図１から図３において符号１で示されるものは全体形状が長手形状で両眼を覆うことができるように構成された本体シートであり、この本体シート１の各眼部２に相当する位置には、一対の貫通孔３が互いに離間して形成されている。【０００９】  前記本体シート１の裏面１ａには、弾性材で形成され所要の厚さＴを有する長手枠状の自由縁部４が設けられており、この厚さＴにより、アイマスク装着時に目をまばたきすることができるように構成されている。【００１０】  前記本体シート１の表面１ｂには、この本体シート１とほぼ同じ大きさに形成され上部のみが一体に接続されて下部から開閉自在に構成された柔軟材シート５が設けられており、この柔軟材シート５の前記各貫通孔３に対応する位置には、各々複数の小孔６が形成されている。【００１１】  前記柔軟材シート５は、図３で示されるように、下部から開閉自在に構成され、この柔軟材シート５を開状態Ａとすると、前記貫通孔３は素通し状態となる。
前記本体シート１の両側部１Ａには、取付孔１０が形成され、この取付孔１０に点線で示す耳かけひも１１を取付けることにより、顔面にアイマスクを装着することができるように構成されている。【００１２】  次に、動作について述べる。前述のように、耳かけひも１１を用いて顔面に装着すると、通常は柔軟材シート５が本体シート１の表面１ｂを覆っているため、貫通孔３に各小孔６が対応し、小孔６を介して外の状態を見ることになる。【００１３】  前述の状態では、視野が狭くなっているため、何らかの都合で、外を広く見る必要がある場合は、柔軟材シート５を下からめくり上げて開状態Ａとすることにより、貫通孔３は小孔６のない素通し状態となって視野を広くすることができる。
また、近くを見る時も、この柔軟材シート５を開状態Ａとすると好都合である。【００１４】  また、図４は、図１の池の形態を示しており、前記柔軟材シート５の中間位置Ｂにスリット２０が形成されており、このスリット２０によって柔軟材シート５が一対の片部分５Ａ、５Ｂにほぼ分割されている。
従って、片眼ずつ貫通孔３を素通し状態とすることができる。また、前記柔軟材シート５が小孔６を有しない場合は、装着時には真暗状態となる。
【産業上の利用可能性】  本発明はアイマスクの機能だけでなく、目のリハビリ等の医療分野に応用することができる。
【図面の簡単な説明】
【００１５】
【図１】本発明によるアイマスクの表面を示す構成図である。
【図２】図１の裏面図である。
【図３】図２のＡ−Ａ’断面図である。
【図４】図１の他の形態を示す構成図である。
【符号の説明】
【００１６】  １    本体シート
１ａ  裏面
１ｂ  表面
３    貫通孔
４    自由縁部
５    柔軟材シート
６    小孔
１０    取付孔
１１    耳かけひも
２０    スリット
【図１】
2005288057.tif 000003
【図２】
2005288057.tif 000004
【図３】
2005288057.tif 000005
【図４】
2005288057.tif 000006